(57)【要約】      （修正有）【課題】伸縮性・吸水性にとみ肌触りがよく、しかも転写印刷により精密な図柄を表現できる転写印刷用丸編みパイル生地および転写印刷タオルを提供する。【解決手段】パイル生地は、第１パイル糸Ｌ１がポリエステル長繊維糸であり第２パイル糸Ｌ２が綿糸である丸編み編成を有する両面パイル生地であり、転写印刷面である第１面２において第１パイル糸によるパイル面が形成されかつシャーリング処理が施されており、転写印刷面でない第２面３において第２パイル糸によるパイル面が形成されている。【選択図】図３
0003205134.tif 000002
【実用新案登録請求の範囲】
【請求項１】
第１パイル糸がポリエステル長繊維糸であり第２パイル糸が綿糸である丸編み編成を有する両面パイル生地であり、転写印刷面である第１面において第１パイル糸によるパイル面が形成されかつシャーリング処理が施されており、転写印刷面でない第２面において第２パイル糸によるパイル面が形成されている転写印刷用丸編みパイル生地。
【請求項２】
第１パイル糸がポリエステルの割繊糸である請求項１に記載の転写印刷用丸編みパイル生地。
【請求項３】
第１パイル糸がポリエステル長繊維糸であり第２パイル糸が綿糸である丸編み編成を有する両面パイル生地であり、転写印刷面である第１面において第１パイル糸によるパイル面が形成されかつシャーリング処理が施されており、転写印刷面でない第２面において第２パイル糸によるパイル面が形成されている転写印刷用丸編みパイル生地の第１面に転写印刷が施されている転写印刷タオル。
【考案の詳細な説明】
【技術分野】
【０００１】
この考案は、精密な転写印刷に適した編みパイル生地および転写印刷タオルに関する。
【背景技術】
【０００２】
転写印刷は解像度の高い絵柄を表わすことができ、布地においても写真を精密に印刷することができる。しかし、パイル生地においてはパイル構造による凹凸のため、精密な図柄が表現できない。
【０００３】
特許文献１には、ポリエステルのつなぎ糸と、吸発性ポリエステルの表側パイル糸と、吸発性ポリエステルの裏側パイル糸とを用い、丸編によって得られる組織を有する両面パイルのタオルであって、表側パイル糸によって構成される表側パイルのパイル長が、裏側パイル糸によって構成される裏側パイルのパイル長よりも短くなるように構成されているタオルが記載されている。そして、表側パイルのパイル長が短くなっているので、プレスをする際、表側パイルが傾れないために、転写紙に形成された図柄の輪郭が歪んだりする等の不都合が生じることはないと記載されている（同文献００２４段落）。
【先行技術文献】
【特許文献】
【０００４】
【特許文献１】特開２００４−２６１３６５号公報
【考案の概要】
【考案が解決しようとする課題】
【０００５】
特許文献１によれば、同文献のタオルおよびタオル生地では、表面の全面が肌ざわりの良いパイルであるにも拘わらず、昇華プリントを施すことができる、とされている。表側のパイル長を裏側のパイル長より短くしているので、その分、裏側よりも精密な印刷ができることは期待できる。しかし、短くても表パイル糸が立っている以上、印刷制度には限界がある。イラスト程度の図柄であれば十分に表現できるかもしれないが、写真のような図柄を精密に表わすことはできない。
【０００６】
また、印刷の精密さを求めて表側のパイルを短くすれば、その分だけパイルによる柔らかさや肌触りのよさが減少する。さらに、ポリエステル糸によるパイルだけでは、通常のタオルに比べて肌触りのよさでは劣ることになる。この考案は、伸縮性・吸水性にとみ、肌触りもよく、しかも転写印刷により精密な図柄を表現できる転写印刷用編みパイル生地および編みタオルを提供することを目的とする。
【課題を解決するための手段】
【０００７】
上述の課題を解決するため、この考案のパイル生地は、第１パイル糸がポリエステル長繊維糸であり第２パイル糸が綿糸である丸編み編成を有する両面パイル生地であり、転写印刷面である第１面において第１パイル糸によるパイル面が形成されかつシャーリング処理が施されており、転写印刷面でない第２面において第２パイル糸によるパイル面が形成されている。第１パイル糸がポリエステルの割繊糸であることが好ましい。
【０００８】
この考案の転写印刷タオルは、第１パイル糸がポリエステル長繊維糸であり第２パイル糸が綿糸である丸編み編成を有する両面パイル生地であり、転写印刷面である第１面において第１パイル糸によるパイル面が形成されかつシャーリング処理が施されており、転写印刷面でない第２面において第２パイル糸によるパイル面が形成されている転写印刷用丸編みパイル生地の第１面に転写印刷が施されている。
【考案の効果】
【０００９】
この考案の転写印刷用縦編みパイル生地および編みタオルは、ポリエステル長繊維糸によるパイル面でかつシャーリング処理が施された転写印刷面を有し、転写印刷により精密な図柄を表現することができる。また、転写印刷面もパイル面であるため柔らかく、さらに第２面において綿糸によるパイル面が形成されていて、さらに肌触りがよい。
【図面の簡単な説明】
【００１０】
【図１】転写印刷用縦編みパイル生地の編み構造を示す平面図である。
【図２】同底面図である。
【図３】転写印刷用縦編みパイル生地を模式的に示す断面図である。
【図４】転写印刷タオルを示す斜視図である。
【考案を実施するための形態】
【００１１】
この考案を実施するための形態について図面に基づいて説明する。図１は転写印
刷用縦編みパイル生地の構造を示す平面図、図２は同背面である。
【００１２】
刷用縦編みパイル生地ｘは、丸編み編成を有するパイル生地であり、機械編みで製造することができる。このような丸編み機械はすでに普及している。図１は転写印刷面である第１面を、図２は転写印刷面でない第２面を示している。
【００１３】
第１パイル糸Ｌ１は転写印刷面である第１面２に現れるパイル糸である。この第１パイル糸Ｌ１はポリエステル長繊維糸である。仕上げ時において細かな繊維が多数あらわれるマイクロファイバーが好ましい。特に、割繊糸を使用することが好ましい。本例では、７５デニール／３６本の割繊糸を使用している。
【００１４】
第２パイル糸Ｌ２は転写印刷面でない第２面３に現れるパイル糸である。この第２パイル糸Ｌ２は綿糸である。特に、３２番手単糸の綿糸を使用することが好ましい。
【００１５】
また、本例ではパイル止め糸Ｌ３としてはフィラメントポリエステル４０デニール／３６を、下糸Ｌ４としてはフィラメントポリエステル７５デニール／３６を使用した。これらの糸を使用して丸編み機によって２８ゲージ（列）／インチの密度で丸編みを行った。
【００１６】
図３は転写印刷用縦編みパイル生地を模式的に示す断面図である。丸編みにより得られた生地では、第１面２にはポリエステルの第１パイル糸によるループ状のパイルが形成される。丸編みにすることにより、網目の密度が高い。この第１面２にシャーリンクを行い、転写印刷面を形成することにより転写印刷用丸編みパイル生地が得られる。この面はポリエステルの細かな繊維に覆われ、転写印刷に適している。編み構造であるため糸同士が強固につながれていて、シャーリングしても表面の糸は抜けにくい。さらに、ポリエステルの割繊糸を使用すると、第１面の表面が多数のマイクロファイバーで覆われ、精密な印刷ができるようになる。また、この面はパイル面であるので、柔らかく手触りがよい。
【００１７】
一方、第２面３もパイル面になっており、肌触りがよい。とくに綿糸であるため、通常のタオルと同じような肌触りのよさと吸水性を有する。さらに、編み構造であるために、生地全体が柔軟であり、伸縮性に富む。
【００１８】
この転写印刷用縦編みパイル生地の転写印刷面（第１面）に昇華転写（熱転写）により写真を印刷する。これを裁断および縫製し、転写印刷タオルを作成した。図４は、タオルを模式的に示す斜視図である。
【００１９】
出来上がった転写印刷タオル１には、写真が精密に再現されていた。丸編み構造のパイル生地であるために、パイル糸は抜け落ちにくく、精密な柄が長期間維持される。このタオルは両面がパイル面であるので肌触りがよい。特に、転写印刷面でない第２面３には綿糸によるパイルが表れているので吸水性と手触りに優れていて、この面は肌に当てて汗を拭いたり、手洗い後の手を拭いたりするのに適している。
【００２０】
ハンカチタオルやフェイスタオルのような小さなものから、バスタオルやタオルケットのような大型のタオルまで、さまざまなサイズのものに適用することができる。
【符号の説明】
【００２１】
１．転写印刷タオル
２．第１面（転写印刷面）
３．第２面
Ｌ１．第１パイル糸
Ｌ２．第２パイル糸
Ｌ３．止め糸
Ｌ４．下糸
【図１】
0003205134.tif 000003
【図２】
0003205134.tif 000004
【図３】
0003205134.tif 000005
【図４】
0003205134.tif 000006